(57)【特許請求の範囲】
【請求項１】
一方の端部へと向かってすぼむテーパー状のセンタリング孔（３）を備えるチャック本体（２）と、
締付用ネジ切り部（５）を備えチャック本体（２）中に配置される締付部材（４）と、
非平行軸・歯車伝動機構（８）とからなり、
非平行軸・歯車伝動機構（８）は、締付用ネジ切部（５）に噛み合わされチャック本体（２）に対して軸方向に位置ズレ不能に、かつ、締付部材（４）と共軸に取り付けられるネジ切リング（６）を含み、
このネジ切リング（６）は、チャック軸に平行でない駆動軸のまわりを回転可能な駆動部材（９）により駆動可能である締付チャック（１）において、
駆動部材（９）は、センタリング孔（３）の逆側、すなわち軸方向後方から、本体凹陥部（１０）中に挿入可能であり、本体凹陥部（１０）は、チャック本体（２）及びネジ切リング（６）の少なくとも一方により支持される板またはディスク（１１）によって、軸方向後方から閉じることができ、このように閉じることにより、板またはディスク（１１）によって駆動部材（９）が本体凹陥部（１０）中に固定されて保持され、
駆動部材（９）には、凹陥部の壁面（１３）の孔（１２）を通じて、駆動工具をあてがうことができることを特徴とする締付チャック。
【請求項２】
一つの一体の部材としての板またはディスク（１１）によって、実質上、本体凹陥部（１０）中の駆動部材（９）の全体が、直接に覆われていることを特徴とする請求項１に記載の締付チャック。
【請求項３】
非平行軸・歯車伝動機構（８）が、駆動部材（９）としてウォーム歯車（１４）を備えたウォームギヤ伝動機構であることを特徴とする請求項１または２に記載の締付チャック。
【請求項４】
非平行軸・歯車伝動機構（８）が、駆動部材（９）として傘（かさ）歯車（１５）を備えた、かさ歯車伝動機構であることを特徴とする請求項１または２に記載の締付チャック。
【請求項５】
板またはディスク（１１）が、チャック本体（２）に、取り外し可能に、取り付けられて保持されていることを特徴とする請求項１〜４のいずれかに記載の締付チャック。
【請求項６】
板またはディスク（１１）のネジ切り孔の中に、ストッパー用のネジ（１８）またはピンが配置されていることを特徴とする請求項５に記載の締付チャック。
【請求項７】
板またはディスク（１１）が、作動スピンドル（１６）の先端部分によって形成されていることを特徴とする請求項１〜６のいずれかに記載の締付チャック。
【請求項８】
作動スピンドル（１６）中に、管路（１７）が形成されていることを特徴とする請求項７に記載の締付チャック。
【請求項９】
ストッパー用のネジ（１８）またはピンの中に、管路（１７）と連通する孔（１９）が形成されていることを特徴とする請求項７または８に記載の締付チャック。
【請求項１０】
板またはディスク（１１）が、弛み止めリングにより、チャック本体（２）に接続していることを特徴とする請求項２〜９のいずれかに記載の締付チャック。
【請求項１１】
本体凹陥部（１０）中には、アンダーカット（２１）を形成すべく、内径R部が設けられていることを特徴とする請求項１〜１０のいずれかに記載の締付チャック。
【請求項１２】
締付部材（４）が、スリットを設けた締付スリーブ（７）として形成されていることを特徴とする請求項１〜１１のいずれかに記載の締付チャック。
【発明の詳細な説明】
【技術分野】
【０００１】
本発明は、チャック本体が、先端に向かってすぼむテーパー状のセンタリング孔を備え、チャック本体の中に、締付用ネジ切部を備えた締付部材を備える締付チャックに関する。
【背景技術】
【０００２】
締付チャックには、非平行軸の歯車伝動機構、すなわち、歯車の組み合わせからなり噛み合う歯車の軸が互いに平行でない伝動機構が備えられる。非平行軸・歯車伝動機構は、ネジ切リングを含み、このネジ切リングは、締付用ネジ切部に噛み合わされるとともにチャック本体に対して軸方向に位置ズレ不能に、かつ、締付部材と共軸に取り付けられる。また、このネジ切リングは、チャック軸に平行でない駆動軸のまわりを回転可能な駆動部材により駆動可能である。
【０００３】
この種の締付チャックは、例えばドイツ特許出願公開DE10056729A1により知られている。この締付チャックにおいては、非平行軸・歯車伝動機構が、ウォームギア伝動機構からなり、該伝動機構のウォームギアが、チャック本体の孔の中に嵌め込まれている。このウォームギアは、チャック本体の側部に、かつ、ネジ切リングの接線方向に配置する必要がある。
【先行技術文献】
【特許文献】
【０００４】
【特許文献１】米国特許US4938490
【特許文献２】国際公開WO2001/34332
【特許文献３】実開昭52-083084
【特許文献４】特開平08-141878
【発明の概要】
【発明が解決しようとする課題】
【０００５】
本発明の根底をなす課題は、導入部で述べたような締付チャックについて、なるべくシンプルな構造と、長さ寸法の小さい構造形態とを実現することにある。
【課題を解決するための手段】
【０００６】
本発明によると、上記課題は、以下により解決される。駆動部材を、センタリング孔とは逆側から、本体の凹陥部に挿入して配置可能であり、この凹陥部を、チャック本体及び／またはネジ切リング（すなわちこれらの少なくとも一方）により支持される板またはディスクにより閉じることができる。また、凹陥部の壁面の開口を通じて、駆動工具を駆動部材にあてがうことができる。
【発明の効果】
【０００７】
上記の構成は、以下のような利点と結びついている。駆動部材を、完全に、チャック本体中にて本体凹陥部中に収納することができる。そのため、より良好な装着、及び、より良好な保護につながっている。特には、駆動部材にも、壁面の開口を通じてのみ、アクセスする必要があるためである。この壁面の開口は、駆動工具の直径に合わせられているのである。また、駆動部材について、チャック本体の側方から駆動可能にするという要求を同時に満たす必要がない。
【図面の簡単な説明】
【０００８】
【図１】本発明によるドリルチャックの長手方向断面図である。
【図２】先端面側から見た平面図であり、部分的に断面を示す。
【図３】本発明による締付チャックの斜視図である。
【図４】変形例の締付チャックについての、図１と同様の図である。
【図５】他の変形例の締付チャックについての、図１と同様の図である。
【図６】駆動スピンドルが固定・接続された締め付けチャックについて示す、図１と同様の断面図である。
【図７】変形例の締め付けチャックについての図６に対応する図である。
【図８】他の変形例の締め付けチャックについての図６に対応する図である。
【発明を実施するための形態】
【０００９】
非平行軸・歯車伝動機構が、駆動部材としてウォーム歯車を備えたウォームギヤ伝動機構であるのが有利である。しかしながら、非平行軸・歯車伝動機構が、駆動部材として傘（かさ）歯車を備えた、かさ歯車伝動機構として形成されている形態も、同様に存在する。このような形態であると、傘歯車を用いることにより、種々の形態が与えられる。このような形態において、凹陥部の壁面の孔が、先端の側へと向かって傾斜して延びるように配置され、これにより、チャック本体における、対応するカラー状リング部を充分に活用することができる。さらには、凹陥部の壁面の孔が、半径方向を向く実施形態も、明らかに存在する。
【００１０】
上記の板またはディスクが、本体凹陥部中に駆動部材を安全・確実に収納するのに役立つので、駆動部材を本体凹陥部中に配置した後に、上記の板またはディスクがチャック本体と接続される。好ましくは、上記の板またはディスクが、チャック本体に、解除可能に取り付けられる。このようにして、駆動部材に対するアクセス可能性が、後の段階でも確実に与えられるようにする。
【００１１】
さらには、上記の板またはディスクにおけるネジ切孔中に、ストッパー用のネジまたはピンを配置することができる。これにより、センタリング孔中に差し込まれた工具のための、深さ方向のストッパーを実現することができる。
【００１２】
本発明の枠内において、上記ディスクが、駆動スピンドルの先端面または先端側により設けられているならば、特に好ましい。このようであると、より少ない構造部材により、コンパクトな構造形態が実現できるからである。好ましくは、駆動スピンドルに管路が設けられ、この管路は、例えば、駆動スピンドルを通じて空気噴流をチャック体へと流れ込ませ、これにより、締付チャックに差し込まれた物からの削り取りが行われた際、または締付チャックが切削に用いられた際、削りくずが作動領域から取り除かれるようにする。ストッパー用のネジまたはピンがディスク中に装着された実施形態を採用するにあたり、好ましくは、該ストッパー用のネジまたはピンにも、上記の管路に導通する孔が備えられる。
【００１３】
締付チャックは、常に駆動スピンドルに接続している必要があるわけでなく、ディスクが緩み止めリングを通じてチャック本体に接続されているなら、好ましい。このようにして、締付チャックの構成部分・部材同士の組み付けを確実に行うことができるからである。
【００１４】
締付チャック中にて駆動部材をより良好に収納し支持するには、凹陥部にアンダーカットを形成するための内径R部（内側から丸み面取りしたもの）を設けることができる。この内径R部は、例えば、ボールエンドミルにより設けることができる。
【実施例】
【００１５】
図面に示された本発明の実施例について詳細に説明する。
【００１６】
図面中、図１〜８に締付チャック１が描かれている。締付チャック１に備えられるチャック本体２の中には、一方の端部（支持端）へと向かってテーパー状にすぼまるセンタリング孔３が形成されている。このセンタリング孔３中には、締付部材４が配置されている。この締付部材４は、チャック本体２の側の端部に、締付用ネジ切り部５を備える。この締付用ネジ切り部５に、ネジ切りリング６が噛み合っている。ネジ切りリング６は、チャック本体２中に、軸方向に位置ズレ不能に、かつ、締付部材４に共軸に装着されている。ここで、締付部材４は、スリットを設けた締付スリーブ７として形成されている。この締付スリーブ７における複数のスリットは、防塵の理由から、ゴムで充填しておくこともできる。このネジ切りリング６は、駆動部材９とともに、非平行軸・歯車伝動機構８の構成部分である。この駆動部材９は、本体凹陥部１０中に嵌め込まれている。この本体凹陥部１０は、センタリング孔３の逆側からの、アクセス、ないし、部材などの入れ込みが可能となっている。このようであることから、駆動部材９を、本体凹陥部１０中に嵌め込むことができる。本体凹陥部１０を、後の段階で、チャック本体２またはネジ切りリング６により支持されているディスク１１によって密閉することができる。駆動部材９そのものに対しては、凹陥部の壁面１３に設けた孔１２を通じて、駆動工具を入れ込んであてがうことが可能となっている。このようであることから、駆動部材９を回転させることで、ネジ切リング６を回転させることができ、これにより、締付部材４は、ネジ切リング６に対して回転し、支持端へと向かってすぼまるテーパー状のセンタリング孔３中にて、軸方向にずれ動く。このようであることから、次のような形態をとることができる。すなわち、締付部材４のずれ動きの方向に応じて、工具は、締め付けらるか、または、締付が解除される。なお、図１〜３に示す実施例では、非平行軸・歯車伝動機構８が、駆動部材としてウォーム歯車１４を備えたウォームギア伝動機構からなる。ウォーム歯車１４は、外面部分が、これに対応するように形成されたネジ切りリング６に噛み合っている。これに対し、図４〜５に示す実施例においては、非平行軸・歯車伝動機構８が、駆動部材９として傘歯車１５を備えたかさ歯車伝動機構として形成されている。
【００１７】
図６に示す実施例においては、駆動部材９を本体凹陥部１０中に固定して保持するためのディスク１１が、駆動スピンドル１６の先端部分により形成されている。さらには、駆動スピンドル１６中に、管路１７が形成されている。この管路１７中には、同様の孔１９を有するストッパーネジ１８が差し込まれている。このようであることから、次のような形態が可能となっている。すなわち、管路１７及びストッパーネジ１８を通じて、空気噴流を、チャック本体の内側へと吹き込まれる。一方では、ストッパーネジ１８が、締付部材４中に差し込まれた工具に対する、深さ方向でのストッパーとして作用する。
【００１８】
図７に示す実施形態においては、締付チャック１を作動スピンドル１６に固定して保持する際にも、ディスク１１が、独立した構成部材として用いられている。ここで、作動スピンドル１６に対する締付チャック１の固定・保持は、いずれの場合も、少なくとも一つのネジにより行われる。好ましくは、周方向に均等に分布するように配置された複数のネジにより行われる。図７に示す具体的な実施例においては、ディスク１１が、締付チャック１のチャック本体２に対して、弛み止めリング２０を通じて接続している。このようであることから、締付チャック１は、輸送のためにも、作動スピンドル１６とは別個に、完全に製造して仕上げることができる。
【００１９】
図６及び８には、本体凹陥部１０中に、アンダーカット２１を形成すべく、内径R部が形成された様子を示す。内径R部は、対応するディスク１１を配置する前にも、ウォーム歯車１４についての、予備的な固定・保持を実現する。
【符号の説明】
【００２０】
１…締付チャック；      ２…チャック本体；        ３…センタリング孔；  
４…締付部材；          ５…締付用ネジ切り部；    ６…ネジ切りリング；  
７…締付スリーブ；      ８…非平行軸・歯車伝動機構；    ９…駆動部材；  
１０…本体凹陥部；      １１…ディスク；          １２…凹陥部の壁面の孔；
１３…凹陥部の壁面；    １４…ウォーム歯車；      １５…傘歯車；  
１６…駆動スピンドル；  １７…管路；              １８…ストッパーネジ；
１９…孔；              ２０…弛み止めリング      ２１…アンダーカット
【図１】
0005575876.tif 000002
【図２】
0005575876.tif 000003
【図３】
0005575876.tif 000004
【図４】
0005575876.tif 000005
【図５】
0005575876.tif 000006
【図６】
0005575876.tif 000007
【図７】
0005575876.tif 000008
【図８】
0005575876.tif 000009